(57)【要約】【課題】複数の保持器セグメントを有する分割保持器の一体性を確保することができ、容易に転がり軸受を組み立てる。【解決手段】分割保持器５は、所定間隔離して対向させた一対のリム部及びこれらリム部の間に架設した複数の柱部を有し、かつ、隣り合う柱部と一対のリム部とによって囲まれる空間を転動体を収容するポケットとして構成している保持器セグメント６を、周方向に沿って環状に複数配列して構成される。そして、この分割保持器５用の治具は、環状に配列した複数の保持器セグメント６のリム部２１の外周側を巻くループ状のバンド１０を備えており、このバンド１０は、リム部２１の外周長に対してバンド１０のループ長を調整可能でかつ調整したループ長で固定可能なロック部１１を有している。【選択図】図５
2014020393.tif 000002
【特許請求の範囲】
【請求項１】
所定間隔離して対向させた一対のリム部及びこれらリム部の間に架設した複数の柱部を有し、かつ、隣り合う柱部と前記一対のリム部とによって囲まれる空間を転動体を収容するポケットとして構成している保持器セグメントを、周方向に沿って環状に複数配列して構成されると共に、当該ポケットに収容させた当該転動体の径方向外側への移動を規制する外抱き型の分割保持器用の治具であって、
環状に配列した前記複数の保持器セグメントの前記リム部の外周側を巻くループ状のバンドを備え、
前記バンドは、前記リム部の外周長に対して当該バンドのループ長を調整可能でかつ調整したループ長で固定可能なロック部を有していることを特徴とする分割保持器用の治具。
【請求項２】
前記バンドは、周方向に複数に分割されている帯状のバンドセグメントと、周方向で隣り合う前記バンドセグメント同士を連結可能でかつこれらバンドセグメントから離脱可能な連結部材と、を更に有している請求項１に記載の分割保持器用の治具。
【請求項３】
前記一対のリム部のうちの一方が他方よりも直径が大きく、当該一方のリム部の外周面が他方のリム部側に向かって縮径する円すい面であって、円すいころからなる前記転動体を保持するための分割保持器用の治具であって、
前記バンドは、前記一方のリム部の外周側にのみ巻かれる請求項１又は２に記載の分割保持器用の治具。
【請求項４】
内輪、外輪、これら内輪と外輪との間に介在する複数の転動体、及び、これら転動体を保持する保持器を備える転がり軸受の組み立て方法であって、
前記保持器は、所定間隔離して対向させた一対のリム部及びこれらリム部の間に架設した複数の柱部を有し、かつ、隣り合う柱部と前記一対のリム部とによって囲まれる空間を前記転動体を収容するポケットとして構成している保持器セグメントを、周方向に沿って環状に複数配列して構成されると共に、当該ポケットに収容させた当該転動体の径方向外側への移動を規制する外抱き型の分割保持器からなり、
前記内輪の外周に沿って前記複数の保持器セグメントを環状に配列した分割保持器によって当該内輪の外周側に設けた前記複数の転動体を保持させ、さらに、この分割保持器がばらけるのをバンドによって防ぐ第一工程と、
前記分割保持器によって保持されている前記複数の転動体に、前記外輪を外接させる第二工程と、を含み、
前記第一工程では、前記内輪の外周に沿って環状に配列した前記複数の保持器セグメントの前記リム部の外周側を、前記バンドによって巻くと共に、当該リム部の外周長に対する当該バンドのループ長を調整しかつ調整したループ長で固定することを特徴とする転がり軸受の組み立て方法。
【請求項５】
前記バンドは、周方向に複数に分割されている帯状のバンドセグメントを有し、かつ、周方向で隣り合う前記バンドセグメント同士が連結部材によって連結されており、
前記第二工程において、前記複数の転動体に前記外輪を外接させると、前記連結部材を前記バンドセグメントから離脱させて、前記分割保持器から前記バンドを取り外す請求項４に記載の転がり軸受の組み立て方法。
【発明の詳細な説明】
【技術分野】
【０００１】
本発明は、複数の保持器セグメントを環状に配列して構成する分割保持器用の治具、及び、転がり軸受の組み立て方法に関する。
【背景技術】
【０００２】
従来、水平軸プロペラ式の風力発電装置においては、ブレードを取り付ける主軸を回転自在に支持するために、転がり軸受が用いられている。近年、風力発電装置の大型化に伴って、主軸の直径が数メートルを超えることもあり、このような大型の主軸を支持するために、転がり軸受も大型化している。大型の転がり軸受に用いられる保持器として、合成樹脂製の保持器が用いられる場合があり、この合成樹脂製の保持器は、溶接で組み立てる金属製の保持器に較べて、軽量であるとともに精度も確保し易いという利点がある。
しかし、直径の大きい合成樹脂製の保持器を、射出成形で一体成形することは困難である。そこで、周方向に複数に分割した分割保持器が用いられている（例えば特許文献１参照）。この分割保持器は、複数の保持器セグメントを環状に配列して構成される。
【０００３】
図７は、保持器セグメントの一例を示す斜視図であり、図８は、分割保持器を備えた円すいころ軸受を示す断面図である。図７において、保持器セグメント１００は、所定間隔離して対向させた一対の第１，第２リム部１０１，１０２と、これら第１，第２リム部１０１，１０２の間に架設した複数の柱部１０３とを有しており、隣り合う柱部１０３と第１，第２リム部１０１，１０２とによって囲まれる空間を、円すいころ１１３（図８参照）を収容するポケット１０４として構成している。
【０００４】
図８において、円すいころ軸受１１０は、外輪１１１と内輪１１２との間に複数の円すいころ１１３を配列し、各円すいころ１１３を、複数の保持器セグメント１００（図７参照）からなる分割保持器１２０によって保持している。内輪１１２の外周には、各円すいころ１１３が転動する軌道面１１２ａが形成されており、この軌道面１１２ａを挟む軸方向の両側に、円すいころ１１３の端面が接触する大鍔部１１２ｂと小鍔部１１２ｃとが設けられている。
【０００５】
そして、このような円すいころ軸受１１０を風力発電装置のハウジングに組み込むためには、複数の保持器セグメント１００を、内輪１１２の外周に沿って環状に配列すると共に、これら保持器セグメント１００のポケット１０４に円すいころ１１３を設置した状態とし、保持器セグメント１００及び円すいころ１１３と共に内輪１１２を、ハウジングに装着された外輪１１１に嵌め込むことにより行われる。
【先行技術文献】
【特許文献】
【０００６】
【特許文献１】ヨーロッパ特許公報ＥＰ２２６４３２５（Ａ１）
【発明の概要】
【発明が解決しようとする課題】
【０００７】
内輪１１２の外周に沿って複数の保持器セグメント１００を環状に配列し、この保持器セグメント１００に円すいころ１１３を保持させた状態で、保持器セグメント１００及び円すいころ１１３と共に内輪１１２を、ハウジングに装着された外輪１１１に嵌め込む際、保持器セグメント１００同士は分離されていることから、保持器セグメント１００及び円すいころ１１３が内輪１１２から脱落しないようにする必要がある。このため、作業が困難となり、円すいころ軸受１１０を組み立てるのに多くの工数を要するという問題があった。
【０００８】
そこで、本発明は、複数の保持器セグメントを環状に配列して構成する分割保持器を備えている転がり軸受の組み立てを容易とさせる分割保持器用の治具、及び、このような分割保持器を備えている転がり軸受の組み立てが容易となる組み立て方法を提供することを目的とする。
【課題を解決するための手段】
【０００９】
本発明は、所定間隔離して対向させた一対のリム部及びこれらリム部の間に架設した複数の柱部を有し、かつ、隣り合う柱部と前記一対のリム部とによって囲まれる空間を転動体を収容するポケットとして構成している保持器セグメントを、周方向に沿って環状に複数配列して構成されると共に、当該ポケットに収容させた当該転動体の径方向外側への移動を規制する外抱き型の分割保持器用の治具であって、環状に配列した前記複数の保持器セグメントの前記リム部の外周側を巻くループ状のバンドを備え、前記バンドは、前記リム部の外周長に対して当該バンドのループ長を調整可能でかつ調整したループ長で固定可能なロック部を有していることを特徴とする。
【００１０】
本発明によれば、例えば、転がり軸受の内輪の外周に沿って複数の保持器セグメントを環状に配列した状態で、これら保持器セグメントのリム部の外周側にバンドが巻かれることで、分割保持器をその状態に維持することができ、しかも、ロック部によれば、リム部の外周長に応じてバンドのループ長を調整することにより分割保持器を締め付けることができる。これにより、保持器セグメントがばらけるのを防ぐことが可能となる。また、分割保持器は外抱き型であるため、保持器セグメントのポケットに収容されている転動体もばらけるのを防ぐことが可能となる。この結果、内輪、分割保持器及び転動体を一体とすることができ、これを外輪に嵌め込めばよいため、転がり軸受の組み立てが容易となる。
【００１１】
また、前記バンドは、周方向に複数に分割されている帯状のバンドセグメントと、周方向で隣り合う前記バンドセグメント同士を連結可能でかつこれらバンドセグメントから離脱可能な連結部材とを更に有しているのが好ましい。
この場合、例えば、バンドが巻かれた分割保持器によって、内輪の外周側に設けた複数の転動体を保持した状態とし、これら内輪、転動体及び分割保持器を、外輪の内周側に組み入れた後に、隣り合うバンドセグメント同士を連結している連結部材を離脱させると、その連結が解除されてバンドセグメントは分離され、分割保持器からバンドを簡単に取り外すことができる。
【００１２】
また、前記一対のリム部のうちの一方が他方よりも直径が大きく、当該一方のリム部の外周面が他方のリム部側に向かって縮径する円すい面であって、円すいころからなる前記転動体を保持するための分割保持器用の治具であって、前記バンドは、前記一方のリム部の外周側にのみ巻かれるのが好ましい。
この場合、直径が大きいリム部の外周側にのみバンドを巻き、分割保持器に円すいころを保持させた状態で、バンドは分割保持器から脱落しにくくなる。
【００１３】
また、本発明は、内輪、外輪、これら内輪と外輪との間に介在する複数の転動体、及び、これら転動体を保持する保持器を備える転がり軸受の組み立て方法であって、前記保持器は、所定間隔離して対向させた一対のリム部及びこれらリム部の間に架設した複数の柱部を有し、かつ、隣り合う柱部と前記一対のリム部とによって囲まれる空間を前記転動体を収容するポケットとして構成している保持器セグメントを、周方向に沿って環状に複数配列して構成されると共に、当該ポケットに収容させた当該転動体の径方向外側への移動を規制する外抱き型の分割保持器からなり、前記内輪の外周に沿って前記複数の保持器セグメントを環状に配列した分割保持器によって当該内輪の外周側に設けた前記複数の転動体を保持させ、さらに、この分割保持器がばらけるのをバンドによって防ぐ第一工程と、前記分割保持器によって保持されている前記複数の転動体に、前記外輪を外接させる第二工程とを含み、前記第一工程では、前記内輪の外周に沿って環状に配列した前記複数の保持器セグメントの前記リム部の外周側を、前記バンドによって巻くと共に、当該リム部の外周長に対する当該バンドのループ長を調整しかつ調整したループ長で固定することを特徴とする。
【００１４】
本発明によれば、転がり軸受の内輪の外周に沿って複数の保持器セグメントを環状に配列した状態で、これら保持器セグメントのリム部の外周側にバンドが巻かれ、このバンドは、リム部の外周長に応じてバンドのループ長を調整することにより、分割保持器を締め付けることができる。このため、保持器セグメントがばらけるのを防いで分割保持器を環状に維持することができ、内輪、転動体及び分割保持器を一体とすることができる。したがって、この一体とした内輪、転動体及び分割保持器を、外輪に組み入れる作業が容易となる。
【００１５】
また、前記転がり軸受の組み立て方法において、前記バンドは、周方向に複数に分割されている帯状のバンドセグメントを有し、かつ、周方向で隣り合う前記バンドセグメント同士が連結部材によって連結されており、前記第二工程において、前記複数の転動体に前記外輪を外接させると、前記連結部材を前記バンドセグメントから離脱させて、前記分割保持器から前記バンドを取り外すのが好ましい。
【００１６】
この場合、内輪の外周側に設けた複数の転動体を分割保持器で保持し、これら内輪、転動体及び分割保持器を、外輪の内周側に組み入れた後に、隣り合うバンドセグメント同士を連結している連結部材を離脱させると、その連結が解除されてバンドセグメントは分離され、バンドを簡単に取り外すことができる。
【発明の効果】
【００１７】
本発明の分割保持器用の治具によれば、保持器セグメント及び転動体がばらけるのを防ぎ、内輪、分割保持器及び転動体を一体とすることができ、これを外輪に嵌め込めばよいため、転がり軸受の組み立てが容易となる。
本発明の転がり軸受の組み立て方法によれば、保持器セグメントがばらけるのを防いで分割保持器を環状に維持することができ、内輪、転動体及び分割保持器を一体とすることができる。したがって、この一体とした内輪、転動体及び分割保持器を、外輪に組み入れる作業が容易となる。
【図面の簡単な説明】
【００１８】
【図１】転がり軸受の断面図である。
【図２】転がり軸受用の保持器を軸方向から見た概略図である。
【図３】分割保持器を構成する保持器セグメントを示す斜視図である。
【図４】内輪、円すいころ、分割保持器及びバンドの断面図である。
【図５】ループ状としたバンドを軸方向から見た説明図である。
【図６】連結ピンによるバンドセグメントの連結部の説明図である。
【図７】保持器セグメントの一例を示す斜視図である。
【図８】分割保持器を備えた円すいころ軸受を示す断面図である。
【発明を実施するための形態】
【００１９】
以下、本発明の実施形態について説明する。
図１は、転がり軸受の断面図であり、図２は、この転がり軸受用の保持器を軸方向から見た概略図である。図１に示す転がり軸受は、転動体として円すいころ４を複数有する円すいころ軸受１であって、例えば、風力発電装置の主軸を支持する大型のものである。
円すいころ軸受１は、外輪２と、内輪３と、これら外輪２と内輪３との間に介在する複数の円すいころ４と、これら円すいころ４を周方向について等間隔で保持する保持器とを備えている。そして、この保持器は、図２に示すように、周方向に複数に分割された分割保持器５からなり、分割保持器５は、複数の保持器セグメント６から構成されている。
【００２０】
図１において、外輪２の内周には、円すいころ４が転動する外軌道面２ａが形成されている。内輪３の外周には、外軌道面２ａと対向する位置に円すいころ４が転動する内軌道面３ａが形成されている。また、内輪３の外周部には、内軌道面３ａを挟んで軸方向両側に、大鍔部３ｂと小鍔部３ｃとが形成されている。大鍔部３ｂと小鍔部３ｃとは、径方向外側に向かって突出しており、円すいころ４の軸方向両側の端面４ａ，４ｂに接触する。
【００２１】
図３は、分割保持器５を構成する保持器セグメント６を示す斜視図である。保持器セグメント６は、軸方向から見て全体が円弧形状を有しており、これら保持器セグメント６を周方向に沿って環状に配列することにより、円環状の分割保持器５が構成される（図２参照）。
【００２２】
各保持器セグメント６は、軸方向に所定間隔離して対向させた第１リム部２１及び第２リム部２２と、これら第１，第２リム部２１，２２の相互間に架設した複数の柱部２３とを備えている。そして、隣り合う２つの柱部２３と第１，第２リム部２１，２２とによって囲まれる空間が、円すいころ４（図１参照）を収容するポケット２４として構成される。各保持器セグメント６にはポケット２４が周方向（円弧の周方向）に沿って複数形成されている。保持器セグメント６は、射出成形によって一体成形された合成樹脂製である。
【００２３】
分割保持器５は、外抱き型の保持器であり、円すいころ４を分割保持器５（各保持器セグメント６）の径方向内側から挿入することで、この円すいころ４をポケット２４に収容させることが可能となり、径方向外側から挿入して行うことは不可能である。これは、図３に示すように、ポケット２４内の円すいころ４と接触可能となる部分である爪部が、分割保持器５（各保持器セグメント６）の外周側に設けられているためである。
このため、内輪３の外周側に設置した分割保持器５（各保持器セグメント６）のポケット２４内に、内輪３の外周に沿って配設した円すいころ４が収容されている状態で、爪部は、この円すいころ４に対して径方向外側から接触することにより、円すいころ４が径方向外側へ外れるのを抑えることができる。すなわち、分割保持器５（各保持器セグメント６）に対して、円すいころ４が径方向外側へ移動するのが規制される。
【００２４】
また、図１に示すように、この分割保持器５は、円すいころ４を保持するための保持器であることから、保持器セグメント６を環状に配列して分割保持器５を組み立てた状態で、リム部２１，２２のうちの一方のリム部２１が、他方のリム部２２よりも、直径が大きくなるように構成されている。そして、この一方のリム部２１の外周面２１ａが、他方のリム部２２側に向かって縮径する円すい面として形成されている。
【００２５】
以上の構成からなる分割保持器５を備えた円すいころ軸受１を組み立てる際、複数の保持器セグメント６がばらけてしまうことが考えられる。そこで、組み立ての際、分割保持器５用の治具が用いられる。
治具は、図４と図５とに示すように、環状に配列した複数の保持器セグメント６のリム部２１の外周側を巻くループ状のバンド１０からなる。図４は、内輪３、円すいころ４、分割保持器５及びバンド１０の断面図であり、図５は、ループ状としたバンド１０を軸方向から見た説明図である。なお、各リム部２１（２２）は円弧形状を有しているため、複数の保持器セグメント６を周方向に沿って環状に配列すると、これらリム部２１（２２）によって一つの環状のリム２５（２６）が構成される。
【００２６】
バンド１０について説明する。バンド１０は、リム部２１の幅（軸方向寸法）と同じ又は僅かに小さい幅を有した帯状部材からなり、本実施形態では金属製であり、全体としてループ状に曲げたものである。
このバンド１０は、ロック部１１を有しており、このロック部１１は、リム部２１（リム２５）の外周長に対するバンド１０のループ長を調整可能で、かつ、調整したループ長で固定可能な構成を有している。
【００２７】
ロック部１１は、バンド本体１５の一端部１５ａに設けられており、他端部１５ｂからバンド本体１５を挿入させる孔１１ａが形成されている。この孔１１ａ内に、図示しないが、爪が形成され、また、バンド本体１５の他端部１５ｂ側に前記爪が引っ掛かる掛合部が形成されており、挿通した他端部１５ｂをさらに引っ張る一方向（図５の矢印Ｐ方向）にバンド本体１５をロック部１１に対して移動させることができるが、反対の他方向へのバンド１５の移動が規制される。つまり、このバンド１０（ロック部１１）は一般的な結束バンドの如く構成されている。このため、バンド本体１５を他端部１５ｂからロック部１１に挿通させることで、バンド１０のループ長を自在に調整することができ、任意のループ長で、前記爪と前記掛合部とが掛合することにより、そのループ長が固定される。
【００２８】
このため、複数の保持器セグメント６を環状に配列した状態で、この分割保持器５のリム２５の外周に沿ってバンド本体１５を設置し、ロック部１１を通過させたバンド本体１５の他端部１５ｂを引っ張ることにより、バンド１０によって分割保持器５のリム２５を径方向内側へと締め付けることができる。
【００２９】
以上のように、保持器セグメント６のリム部２１（分割保持器５のリム２５）の外周側にバンド１０が巻かれることで、保持器セグメント６を環状に配列して分割保持器５を組み立てた状態が維持される。そして、ロック部１１によれば、リム部２１（リム２５）の外周長に応じてバンド１０のループ長を調整することにより分割保持器５を締め付け、これにより、保持器セグメント６がばらけるのを効果的に防ぎ、複数の保持器セグメント６を有する分割保持器５の一体性を確保することが可能となる。
【００３０】
また、図４に示すように、保持器セグメント６を環状に配置して構成した分割保持器５において、前記のとおり、一方のリム部２１は他方のリム部２２よりも直径が大きく、この一方のリム部２１の外周面２１ａが、他方のリム部２２側に向かって縮径する円すい面として形成されている。そこで、本実施形態では、直径が大きいリム部２１（リム２５）の外周側にのみバンド１０を巻いている。
これにより、バンド１０は、分割保持器５から脱落しにくくなる。すなわち、分割保持器５に円すいころ４を保持させた状態で、バンド１０をリム部２１（リム２５）に締め付けた際に、そのバンド１０は、軸方向一方側（図４の場合、左側）へ位置ずれしようとするが、円すいころ４の端面４ｂによってこの位置ずれが規制される。また、軸方向他方側（図４の場合、右側）への位置ずれは、リム部２１（リム２５）の直径が端部に向かうにつれて大きくなっていることから、規制される。このように、直径が大きいリム部２１の外周側に巻いたバンド１０は、分割保持器５から脱落しにくくなる。
【００３１】
また、図５に示すように、バンド本体１５は、周方向に複数に分割されている帯状のバンドセグメントからなる。本実施形態では、バンド１０は、周方向に二分割されている第一のバンドセグメント１６と、第二のバンドセグメント１７とを有している。さらに、バンド１０は、周方向で隣り合うこれらバンドセグメント１６，１７同士を連結可能でかつこれらバンドセグメント１６，１７から離脱可能な連結部材を更に有している。本実施形態の連結部材は、連結ピン１８からなる。図６に示すように、バンドセグメント１６，１７の端部１６ａ，１７ａそれぞれにおいて、連結ピン１８を挿通させる孔１６ｂ，１７ｂが形成されている。なお、この連結ピン１８によるバンドセグメント１６，１７の連結部は、バンド本体１５の途中部であればよいが、本実施形態では、図５に示すように、ロック部１１に対して約１８０°周方向に離れた位置に設けられている。
【００３２】
そして、連結ピン１８が孔１６ｂ，１７ｂを挿通している状態では、バンドセグメント１６，１７は連結されているが、この連結ピン１８が孔１６ｂ，１７ｂから抜かれると、セグメント１６，１７の連結が解除される。連結ピン１８は、その長手方向に孔１６ｂ，１７ｂから引き抜かれ、この長手方向と、円すいころ４の軸方向とは一致している。この連結ピン１８による機能は、後の円すいころ軸受の組み立て方法において説明する。
【００３３】
以上のように構成された複数の保持器セグメント６からなる分割保持器５を備えている円すいころ軸受１を、前記実施形態に係る治具（バンド１０）を用いて組み立てる方法について説明する。
【００３４】
図４に示すように、内輪３の外周に沿って複数の保持器セグメント６を環状に配列した分割保持器５によって、内輪３の外周側（内軌道面３ａ）に設けた複数の円すいころ４を保持させ、さらに、この分割保持器５がばらけるのを前記バンド１０によって防ぐ（第一工程）。
なお、この第一工程では、内輪３の内軌道面３ａに先に円すいころ４を配列し、その後、各円すいころ４が一つのポケット２４に収容されるように分割保持器５を内輪３の外周に沿って設け、この分割保持器５をバンド１０によって締め付ける。
【００３５】
この第一工程では、内輪３の外周に沿って環状に配列した複数の保持器セグメント６のリム部２１（リム２５）の外周側を、図５に示すように、バンド１０によって巻くと共に、ロック部１１によって、リム部２１（リム２５）の外周長に対するバンド１０のループ長を調整し、かつ、調整したループ長で固定する。
このように、リム部２１（リム２５）の外周長に応じてバンド１０のループ長を調整することにより、このバンド１０によって分割保持器５は締め付けられるため、複数の保持器セグメント６及び円すいころ４がばらけるのを防いで分割保持器５を環状に維持することができ、この結果、図４に示すように、内輪３、円すいころ４及び分割保持器５からなる半製品を一体とすることができる。
【００３６】
次の第二工程では、分割保持器５によって保持されている複数の円すいころ４に、外輪２を外接させる。つまり、内輪３、円すいころ４及び分割保持器５からなる半製品を、外輪２に組み入れる。このように内輪３、円すいころ４及び分割保持器５を、外輪２に組み入れる作業は、第一工程において、これら内輪３、円すいころ４及び分割保持器５が一体化されていることから、容易となる。
そして、この第二工程において、円すいころ４に外輪２を外接させると、バンド１０が有している連結ピン１８（図６参照）を、バンドセグメント１６，１７から抜いて離脱させる。これにより、バンドセグメント１６，１７の連結が解除されてバンドセグメント１６，１７は前記連結部において分離され、ロック部１１による前記爪と掛合部との掛合を解くことなく、バンド１０を分割保持器５から簡単に取り外すことができる。
【００３７】
以上のように、本実施形態に係る分割保持器５用の治具によれば、保持器セグメント６がばらけるのを防ぎ、複数の保持器セグメント６を有する分割保持器５の一体性を確保することが可能となる。
そして、この治具（バンド１０）を用いて行う円すいころ軸受１の組み立て方法によれば、保持器セグメント６がばらけるのを防いで分割保持器５を環状に維持することができ、さらに、内輪３、円すいころ４及び分割保持器５からなる半製品を一体とすることができるので、この一体とした半製品（内輪３、円すいころ４及び分割保持器５）を、外輪２に組み入れる作業が容易となる。
つまり、このような円すいころ軸受を、主軸とハウジングとの間に組み入れる作業は、内輪３の外周に沿って環状に配列した複数の保持器セグメント６のポケット２４に、円すいころ４を設置した半製品とし、この半製品の内輪３をシャフトに外嵌させ、これを、ハウジングに先に組み込んだ外輪２に嵌め入れることにより行われるが、前記各実施形態に係る治具によれば、保持器セグメント６等がばらけるのを防いで半製品を一体とすることができ、主軸とハウジングとを有する機器に、円すいころ軸受を組み入れる作業が容易となる。
【００３８】
また、本発明の分割保持器５用の治具は、図示する形態に限らず本発明の範囲内において他の形態のものであってもよい。例えば、バンド１０のロック部１１は図示した形態以外であってもよい。
また、前記実施形態では、転がり軸受を、円すいころ軸受として説明したが、円筒ころ軸受であってもよく、この場合においても前記のような治具（バンド１０）を用いることが可能である。
【符号の説明】
【００３９】
１：円すいころ軸受（転がり軸受）    ２：外輪    ３：内輪    ４：円すいころ（転動体）    ５：分割保持器    １０：バンド    １１：ロック部    １６：第一のバンドセグメント    １７：第二のバンドセグメント    １８：連結ピン（連結部材）    ２１，２２：リム部    ２３：柱部    ２４：ポケット
【図１】
2014020393.tif 000003
【図２】
2014020393.tif 000004
【図３】
2014020393.tif 000005
【図４】
2014020393.tif 000006
【図５】
2014020393.tif 000007
【図６】
2014020393.tif 000008
【図７】
2014020393.tif 000009
【図８】
2014020393.tif 000010